(57)【特許請求の範囲】
【請求項１】
装置の筐体と、該筐体の内部に配設されるプリント基板とを備え、前記筐体は壁掛け用の孔部を有する電子機器装置において、
前記筐体に、前記孔部を囲み且つ前記プリント基板まで延在したリブを設けたことを特徴とする電子機器装置。
【請求項２】
装置の筐体と該筐体の内部に配設されるプリント基板とを備え、前記筐体は壁掛け用の凹部を有し、該凹部は側壁に貫設された空部を有する電子機器装置において、
前記筐体に、前記空部を囲み且つ前記プリント基板まで延在したリブを設けたことを特徴とする電子機器装置。
【請求項３】
装置の筐体と該筐体の内部に配設されるプリント基板とを備え、前記筐体は壁掛け用の凹部を有し、該凹部は底部に片持梁を有する電子機器装置において、
前記筐体に、前記片持梁を囲み且つ前記プリント基板まで延在したリブを設けたことを特徴とする電子機器装置。
【発明の詳細な説明】
【０００１】
【産業上の利用分野】
本発明は壁掛け用の孔部または凹部を有する電子機器装置に関する。
【０００２】
【従来の技術】
室内の壁や柱等に固定された釘やネジ等の頭部を、壁掛け用の孔部または凹部を有する保持部に係合させて壁に保持させる電子機器が多く市販されている。この壁掛け用の保持部を第１の従来例として図に基づき説明する。図７は電子機器の外面より見た保持部の平面図である。図８は電子機器の内面より見た平面図である。図９は図７におけるＣ−Ｃ断面図である。図１０は図７におけるＤ−Ｄ断面図である。図７，９，１０において２点鎖線は固定ネジ（１８）であり、室内の壁や柱等に螺着されて壁掛け用の保持部に係合する。（１９）は壁掛け用の保持部であり、電子機器の筐体の外面（２）より外側に突出している。外面（２）と並行な保持部（１９）の上面（３）には大円部（４）と該大円部（４）の一部より延在する小長円部（５）とからなる鍵穴形状の凹部（６）が設けられている。該凹部（６）は鍵穴形状の底部（７）と側壁（８）とからなり、該側壁（８）の小長円部（５）と該小長円部（５）側の大円部（４）の半分側は貫設された空部（９）となっている。これにより、底部（７）は小長円部（５）の一端が自由端となる片持梁を有することになる。図１１は図９に示す断面部分の金型の突き合わせ状態を示す。図１１に示すごとく、保持部（１９）は固定型（２０）と移動型（２１）により筐体と一体で射出成形されるものであり、空部（９）は固定型（２０）と移動型（２１）の突き合わせ部（Ｅ部）により外面と内面が連通する。
【０００３】
固定ネジ（１８）の形状について説明する。固定ネジ（１８）は頭部（２２）とネジ部（２３）とからなり、頭部（２２）の円形天面に硬貨でも螺着が可能なマイナス形状のドライバー溝（２４）と、頭部（２２）の側面には周方向に延在する溝（２５）を有し、頭部（２２）の直径Ｄ１は保持部（１９）の大円部（４）の最小直径Ｄ２より小さく、小長円部（５）の最小直径Ｄ３より大きい（Ｄ２＞Ｄ１＞Ｄ３）。溝（２５）によって分割される頭部（２２）の頂端側の円柱形状の高さＨ１は保持部（１９）の上面（３）と底部（７）の肉厚で挟まれる空部の高さＨ２より小さい（Ｈ１＜Ｈ２）。溝（２４）の幅Ｗ１は保持部（１９）の底部（７）の肉厚Ｈ３より大きく（Ｗ１＞Ｈ３）、溝（２４）の底面で形成される円柱の直径Ｄ４は小長円部（５）の最小直径Ｄ３より小さい（Ｄ４＜Ｄ３）。ネジ部（２３）はセルフタッピンネジ１種（先端が鋭利であり、壁等の下穴の雌ネジ加工が不要なネジ）の加工が施されている。
【０００４】
上記の如く形成される保持部（１９）に固定ネジ（１８）を係合する方法について説明する。固定ネジ（１８）の頭部（２０）を保持部（１９）の大円部（４）に挿入させる（図９のＦの位置）。Ｄ２＞Ｄ１であるためにこの挿入が可能である。Ｗ１＞Ｈ３且つＤ４＜Ｄ３且つＨ１＜Ｈ２であり、また、金型の付き合わせ部（Ｅ部）の空部（９）を有しているために、大円部（４）に挿入された固定ネジ（１８）の溝部（２３）を底部に挟持させて小長円部（５）内を滑動させることが可能で、固定ネジ（１８）を小長円部（５）の端部に滑動させる（図９のＧの位置）。
【０００５】
上記の如く保持部（１９）は外面と内面とを連通する空部（９）を有し、この連通は筐体と一体成形するための付き合わせ部によるものであるために、連通を無くすことは困難である。このような電子機器を室内の壁等に掛けずに卓上等に載置したときはもちろん、壁に掛けたときでも保持部（１９）の空部（９）よりゴキブリ，蝦，毛虫等の虫が電子機器内部に入り込み、プリント基板上のリード線や電気部品を食べたり糞をして部品を腐食させ、電気的障害をもたらすことが報告されている。
第１の従来例の問題を解決するために、保持部の内面に別な部品を取り付ける方法が考えられ、市販されている。これを第２の従来例として図に基づき説明する。図１２は保持部を内面より見た平面図である。図１３は図１２のＨ−Ｈ断面図である。第２の従来例の保持部（１９）における筐体は第１の従来例と同じ形状であり、説明を省略する。（２６）は粘着剤（２７）付きヒメロンシートであり、底部（７）の内面側に張り付けられる。このヒメロンシート（２６）により、ゴキブリ等が空部（９）より電子機器の内部へ進入するのを防止している。
【０００６】
【発明が解決しようとする課題】
ヒメロンシート等の別部品を追加して張り付けるとその組立作業費が増加しコストアップが大きくなる。そこで、別部品の追加を行うことなくゴキブリ等の進入を防止する方法が要望されている。
【０００７】
【課題を解決するための手段】
本発明はかかる点に鑑みてなされたもので、その特徴は、前記筐体に、壁掛け用の孔部または壁掛け用の凹部の側面の空部または壁掛け用の凹部の底面の片持梁を囲み且つ前記プリント基板まで延在したリブを設けたものである。
【０００８】
【作用】
組立て作業が必要な別部品の追加を行うことなく、内部と外部を連通する空部を塞ぐことができる。
【０００９】
【実施例】
本発明の第１の実施例を図に基づき説明する。第１の実施例は突き合わせによる側面の空部を有する保持部に適応した実施例である。図１は保持部を電子機器の外面より見た平面図である。図２は保持部を電子機器の内面より見た平面図である。図３は図１におけるＡ−Ａ断面図である。尚、これらの図において従来例の図と同一箇所には同一番号を付す。
（１）は壁掛け用の保持部であり、電子機器の筐体の外面（２）より外側に突出している。外面（２）と並行な保持部（１）の上面（３）には大円部（４）と該大円部（４）の一部より延在する小長円部（５）とからなる鍵穴形状の凹部（６）が設けられている。該凹部（６）は鍵穴形状の底部（７）と側壁（８）とからなり、該側壁（８）の小長円部（５）と該小長円部（５）側の大円部（４）の半分側は欠除して空部（９）となっている。これにより、底部（７）は小長円部（５）の一端が自由端となる片持梁を有することになる。（１０）は筐体内部に配設されている電気回路用のプリント基板であり、外面（２）と略並行に保持されている。（１１）はリブであり、空部（９）を囲み且つプリント基板（１０）まで延在する。リブ（１１）で囲まれたプリント基板（１０）の閉塞面（１２）には部品やパターン等の電気回路手段は設けられていない。
【００１０】
上記保持部（１）と係合する固定ネジ（１８）の形状及び係合方法は第１の従来例と同じであるために説明を省略する。
【００１１】
以上の構成により、ゴキブリ等の進入は保持部のリブ（１１）とプリント基板（１０）の閉塞面（１２）によって遮られる。従って、取付作業が必要な別部品を追加することなく、金型の側面付き合わせ部の空部（９）より進入したゴキブリ等が電気回路手段まで到達することを防止することができる。
【００１２】
本発明の第２の実施例を図に基づき説明する。第２の実施例は突き合わせによる側面の空部を有しない保持部に適応した実施例である。図４は保持部を電子機器の内面より見た平面図である。図５は保持部を電子機器の内面より見た平面図である。図６は図４におけるＢ−Ｂ断面図である。（１３）は壁掛け用の保持部であり、電子機器の筐体の外面（２）より外側に突出している。外面（２）と並行な保持部（１３）の上面（１４）には大円部（１５）と該大円部（１５）の一部より延在する小長円部（１６）とからなる鍵穴形状の孔部（１７）が設けられている。（１０）は筐体内部に配設されている電気回路用のプリント基板であり、外面（２）と略並行に保持されている。（１１）はリブであり、孔部（１７）を囲み且つプリント基板（１０）まで延在する。リブ（１１）で囲まれたプリント基板（１０）の閉塞面（１２）には部品やパターン等の電気回路手段は設けられていない。
【００１３】
以上の構成により、ゴキブリ等の進入は保持部のリブ（１１）とプリント基板（１０）の閉塞面（１２）によって遮られる。従って、取付作業が必要な別部品を追加することなく、切り欠き部（１７）より進入したゴキブリ等が電気回路手段まで到達することを防止する。
【００１４】
尚、第１の実施例の凹部（４）は筐体の外面（２）に突出した上面（３）に設けたが、凹部（４）は直接上面（３）に設けられても、凹部（４）の側面（８）の空部（９）を画設しプリント基板１０まで延在したリブ（１１）を設けることは可能である。また、第２の実施例についても同様に、直接上面（３）に設けられた孔部（１７）についてもリブ（１１）を設けることができる。
【００１５】
また、第１，第２の実施例では凹部（４）あるいは孔部（１７）の形状を鍵穴形状にしたが、この形状は保持部と係合するものの形状に適合した形状を成すものである。例えば、板金のＬ字形部と係合する保持部の凹部あるいは孔部の形状は四角形が適合する。
【００１６】
【発明の効果】
以上の構成により、ゴキブリ等が壁掛け用の保持部より進入しても、プリント基板とリブに遮られて、電気回路手段に損傷を与えることはなくなる。
【図面の簡単な説明】
【図１】本発明の第１の実施例の外面より見た平面図である。
【図２】第１の実施例の内面より見た平面図である。
【図３】図１のＡ−Ａ断面図である。
【図４】第２の実施例の外面より見た平面図である。
【図５】第２の実施例の内面より見た平面図である。
【図６】図４のＢ−Ｂ断面図である。
【図７】第１の従来例の外面より見た平面図である。
【図８】第１の従来例の内面より見た平面図である。
【図９】図７のＣ−Ｃ断面図である。
【図１０】図６のＤ−Ｄ断面図である。
【図１１】図８の金型構造を示す断面図である。
【図１２】第２の従来例の内面より見た平面図である。
【図１３】図１２のＥ−Ｅ断面図である。
【符号の説明】
１  保持部
２  外面
３  上面
４  凹部
８  側面
９  空部
１０  プリント基板
１１  リブ
１７  孔部
【図１】
0003547793.tif 000002
【図２】
0003547793.tif 000003
【図３】
0003547793.tif 000004
【図４】
0003547793.tif 000005
【図５】
0003547793.tif 000006
【図６】
0003547793.tif 000007
【図７】
0003547793.tif 000008
【図８】
0003547793.tif 000009
【図９】
0003547793.tif 000010
【図１０】
0003547793.tif 000011
【図１１】
0003547793.tif 000012
【図１２】
0003547793.tif 000013
【図１３】
0003547793.tif 000014